(57)【要約】【課題】単一の伝送インターフェイスで映像データと音声データを出力する映像／音声データ検出モジュールと映像／音声データ検出方法を提供する。【解決手段】電子装置の筐体に内蔵した映像／音声データ検出モジュールは、映像データを検出する少なくとも１つの映像検出素子と、少なくとも１つの音声データを検出する複数の音声検出素子と、電子装置の制御コマンドセットに基づいて映像検出素子の映像データと音声検出素子の前記音声データを処理し、処理済み映像データストリームと少なくとも１つの処理済み音声データストリームを生成し、処理済み映像データストリームと処理済み音声データストリームを組み合わせて伝送インターフェイスの規格に合う出力データストリームにするプロセッサと、制御コマンドを受信して前記出力データストリームを多重化方式で出力する伝送インターフェイスと、映像検出素子と、音声検出素子と、伝送インターフェイスに結合され、プロセッサが設けられた回路板とを含む。【選択図】図３
2011120192.tif 000002
【特許請求の範囲】
【請求項１】
電子装置の筐体に内蔵した映像／音声データ検出モジュールであって、
映像データを検出する少なくとも１つの映像検出素子と、
少なくとも１つの音声データを検出する複数の音声検出素子と、
前記電子装置の制御コマンドセットに基づいて前記映像検出素子の前記映像データと前記音声検出素子の前記音声データを処理し、処理済み映像データストリームと少なくとも１つの処理済み音声データストリームを生成し、当該処理済み映像データストリームと処理済み音声データストリームを組み合わせて伝送インターフェイスの規格に合う出力データストリームにするプロセッサと、
前記制御コマンドを受信して前記出力データストリームを多重化方式で出力する伝送インターフェイスと、
前記映像検出素子と、前記音声検出素子と、前記伝送インターフェイスに結合され、前記プロセッサが設けられた回路板とを含む、映像／音声データ検出モジュール。
【請求項２】
前記プロセッサは更に、前記処理済み映像データストリームと前記処理済み音声データストリームの一部を一時保存し、同時に検出された前記映像データと前記音声データが全部前記プロセッサによって処理されてから、一時保存した前記処理済み映像データストリームと前記処理済み音声データストリームを組み合わせて前記出力データストリームにして前記伝送インターフェイスに出力するバッファを含む、請求項１に記載の映像／音声データ検出モジュール。
【請求項３】
前記多重化方式は周波数分割多重化または時分割多重化である、請求項１に記載の映像／音声データ検出モジュール。
【請求項４】
前記伝送インターフェイスはＵＳＢインターフェイスであり、前記多重化方式は時分割多重化である、請求項１に記載の映像／音声データ検出モジュール。
【請求項５】
前記伝送インターフェイスはＵＳＢハイスピードインターフェイスであり、前記伝送インターフェイスは電源伝送接点と、接地伝送接点と、Ｄ＋接点と、Ｄ−接点とを含む、請求項４に記載の映像／音声データ検出モジュール。
【請求項６】
前記伝送インターフェイスは更に、ＵＳＢケーブルに結合されるシールディングに結合されるシールディング接点を含む、請求項５に記載の映像／音声データ検出モジュール。
【請求項７】
前記伝送インターフェイスはＵＳＢスーパースピードインターフェイスであり、前記伝送インターフェイスは電源伝送接点と、接地伝送接点と、ＳＳＲＸ＋接点と、ＳＳＲＸ−接点と、ＳＳＴＸ＋接点と、ＳＳＴＸ−接点とを含む、請求項４に記載の映像／音声データ検出モジュール。
【請求項８】
前記伝送インターフェイスは更に、ＵＳＢケーブルに結合されるシールディングに結合されるシールディング接点を含む、請求項７に記載の映像／音声データ検出モジュール。
【請求項９】
映像／音声データ検出モジュールに用いられる映像／音声データ検出方法であって、当該映像／音声データ検出モジュールは電子装置の筐体に内蔵され、映像検出素子と、複数の音声検出素子と、プロセッサと、伝送インターフェイスと、回路板とを含み、当該映像検出素子と、音声検出素子と、伝送インターフェイスはいずれも当該回路板に結合され、当該プロセッサは当該回路板に設けられ、当該映像／音声データ検出方法は、
前記映像検出素子で映像データを検出する段階と、
前記複数の音声検出素子で少なくとも１つの音声データを検出する段階と、
前記電子装置からの制御コマンドセットに基づいて前記プロセッサで前記映像検出素子からの前記映像データと前記複数の音声検出素子からの前記音声データを処理し、処理済み映像データストリームと処理済み音声データストリームを生成し、組み合わせて伝送インターフェイスの規格に合う出力データストリームにする段階と、
前記伝送インターフェイスで前記出力データストリームを多重化方式で出力する段階と、を含む、映像／音声データ検出方法。
【請求項１０】
前記方法は更に、
前記処理済み映像データストリームと前記処理済み音声データストリームの一部を一時保存し、同時に検出された前記映像データと前記音声データが全部前記プロセッサによって処理されてから、一時保存した前記処理済み映像データと前記処理済み音声データを組み合わせて前記伝送インターフェイスに出力する段階を含む、請求項９に記載の映像／音声データ検出方法。
【請求項１１】
前記多重化方式は周波数分割多重化または時分割多重化である、請求項９に記載の映像／音声データ検出方法。
【請求項１２】
前記伝送インターフェイスはＵＳＢインターフェイスであり、前記多重化方式は時分割多重化である、請求項９に記載の映像／音声データ検出方法。
【請求項１３】
前記伝送インターフェイスはＵＳＢハイスピードインターフェイスであり、前記伝送インターフェイスは電源伝送接点と、接地伝送接点と、Ｄ＋接点と、Ｄ−接点とを含む、請求項１２に記載の映像／音声データ検出方法。
【請求項１４】
前記伝送インターフェイスは更に、ＵＳＢケーブルに結合されるシールディングに結合されるシールディング接点を含む、請求項１３に記載の映像／音声データ検出方法。
【請求項１５】
前記伝送インターフェイスはＵＳＢスーパースピードインターフェイスであり、前記伝送インターフェイスは電源伝送接点と、接地伝送接点と、ＳＳＲＸ＋接点と、ＳＳＲＸ−接点と、ＳＳＴＸ＋接点と、ＳＳＴＸ−接点とを含む、請求項１２に記載の映像／音声データ検出方法。
【請求項１６】
前記伝送インターフェイスは更に、ＵＳＢケーブルに結合されるシールディングに結合されるシールディング接点を含む、請求項１５に記載の映像／音声データ検出方法。
【請求項１７】
映像／音声データ検出モジュールに用いられる映像／音声データ検出方法であって、当該映像／音声データ検出モジュールは電子装置の筐体に内蔵され、当該映像／音声データ検出方法は、
映像検出素子により映像データを検出する段階と、
複数の音声検出素子により少なくとも１つの音声データを検出する段階と、
前記電子装置からの制御コマンドセットに基づいてプロセッサにより前記映像データと前記音声データを処理し、処理済み映像データと処理済み音声データをそれぞれ生成する段階と、
バッファにより前記処理済み映像データと前記処理済み音声データの一部を一時保存し、同時に検出された前記映像データと前記音声データが全部前記プロセッサによって処理されてから、一時保存した前記処理済み映像データと前記処理済み音声データを前記プロセッサで組み合わせて出力データストリームにする段階とを含み、
前記映像／音声データ検出モジュールは更に回路板を含み、前記映像検出素子と、前記音声検出素子と、前記伝送インターフェイスは当該回路板に結合され、前記プロセッサは当該回路板に設けられる、映像／音声データ検出方法。
【発明の詳細な説明】
【技術分野】
【０００１】
本発明は映像／音声データ検出モジュール及び映像／音声データの検出方法に関し、特に１つの伝送インターフェイスを共用する映像／音声データ検出モジュール及び映像／音声データの検出方法に関する。
【背景技術】
【０００２】
映像データと音声データを検出し、後続素子に送信して後続処理を行うために、コンピュータや携帯電話など現代の電子装置は一般に、撮影モジュールなどの映像／音声データ検出モジュールを含む。図１はコンピュータスクリーンの筐体に撮影モジュールを内蔵した例を表す説明図である。図１に示すように、コンピュータスクリーン１００は撮影モジュール１０１を含み、撮影モジュール１０１は映像検出素子１０３と音声検出素子１０５を含む。映像検出素子１０３は映像データを検出し、音声検出素子１０５は音声データを検出する。撮影モジュール１０１は更に、コンピュータに接続され、映像データと音声データをコンピュータに出力する伝送インターフェイスを含む。もっとも、この伝送インターフェイスは図１で示されない。
【０００３】
図２を参照する。図２は従来の技術による映像出力装置のブロック図を表す説明図である。図２に示すように、検出された映像データＤａｔａＶと音声データＤａｔａＡはプロセッサ２０５に送信されデジタル化される。デジタル化された映像データＤａｔａＶと音声データＤａｔａＡはそれぞれ異なる伝送インターフェイス２０７、２０９に送信され出力される。
【０００４】
しかし、このような構造には欠点がある。１つの音声検出素子しかない場合では、指向性受音の効果を実現するために、音声検出素子を設置する箇所の機構の外形を変更しなければならない。これによりコストと設計の困難さが増加するだけでなく、機構外形の変更により改善される指向性受音の効果も限られている。
【０００５】
なお、映像データと音声データは伝送インターフェイスが異なるので、別々のスロットで電子装置に送信される。したがって、撮影モジュールをコンピュータに接続すれば、映像データと音声データを別々の伝送インターフェイスに接続するために、特殊な回路板の設計が必要である。また、従来の技術による映像データと音声データの間には時間差があり、両者の同期性もそれによって影響される。
【発明の概要】
【発明が解決しようとする課題】
【０００６】
したがって、本発明の目的のひとつは、単一の伝送インターフェイスで映像データと音声データを出力する映像／音声データ検出モジュールと映像／音声データ検出方法を提供することにある。もうひとつは、映像データと音声データが同期しない問題を解決できる映像／音声データ検出モジュールと映像／音声データ検出方法を提供することにある
【課題を解決するための手段】
【０００７】
本発明の実施例では、映像／音声データ検出モジュールに用いられる映像／音声データ検出方法を開示する。映像／音声データ検出モジュールは電子装置の筐体に内蔵され、映像検出素子と、複数の音声検出素子と、プロセッサと、伝送インターフェイスと、回路板とを含む。映像検出素子と、音声検出素子と、伝送インターフェイスはいずれも回路板に結合され、プロセッサは回路板に設けられている。映像／音声データ検出方法は、映像検出素子で映像データを検出する段階と、複数の音声検出素子で少なくとも１つの音声データを検出する段階と、電子装置からの制御コマンドセットに基づいてプロセッサで映像検出素子からの映像データと複数の音声検出素子からの音声データを処理し、処理済み映像データストリームと少なくとも１つの処理済み音声データストリームを生成し、多重化方式でこれらのデータストリームを組み合わせて伝送インターフェイスの規格に合うデータストリームにする段階と、伝送インターフェイスで処理済み映像データと処理済み音声データを多重化方式で出力する段階とを含む。
【０００８】
本発明の他実施例では、映像／音声データ検出モジュールに用いられる映像／音声データ検出方法を開示する。映像／音声データ検出モジュールは電子装置の筐体に内蔵される。映像／音声データ検出方法は、映像検出素子で映像データを検出する段階と、複数の音声検出素子で少なくとも１つの音声データを検出する段階と、電子装置からの制御コマンドセットに基づいてプロセッサで映像データと音声データを処理し、処理済み映像データと少なくとも１つの処理済み音声データをそれぞれ生成する段階と、バッファで処理済み映像データと処理済み音声データの一部を一時保存し、同時に検出された映像データと音声データが全部プロセッサによって処理されてから、一時保存した処理済み映像データと処理済み音声データをプロセッサで組み合わせて伝送インターフェイスの規格に合う出力データストリームにし、多重化方式で出力する段階とを含む。映像／音声データ検出モジュールは更に回路板を含む。映像検出素子と、音声検出素子と、伝送インターフェイスは回路板に結合され、プロセッサは回路板に設けられる。
【発明の効果】
【０００９】
前掲実施例は、デジタル信号処理方式で指向性受音を行うことができる。したがって、さまざまな環境に応じてアルゴリズムで微調整することができ、金型を修正する必要がない。そして多重化方式により映像データと音声データは１つの伝送インターフェイスを共用し、信号ラインの帯域幅を共用することが可能で、コンピュータのリソースは十分に利用される。また、所要の伝送インターフェイスが少ないので、電力消費が低い。なお、撮影モジュールを外付け型にした場合ではコンピュータに接続する信号ケーブルを減らし、撮影モジュールをコンピュータ内蔵型にした場合では回路板の設計を簡素化することができる。のみならず、前掲実施例に示すように、映像データと音声データが同期しない問題も改善できる。
【図面の簡単な説明】
【００１０】
【図１】コンピュータスクリーンの筐体に撮影モジュールを内蔵した例を表す説明図である。
【図２】従来の技術による映像出力装置のブロック図を表す説明図である。
【図３】本発明の実施例による映像／音声データ検出モジュールのブロック図である。
【図４ａ】本発明の実施例によるストライプ型の撮影モジュールを表す説明図である。
【図４ｂ】本発明の実施例によるストライプ型の撮影モジュールを表す説明図である。
【図５】本発明の実施例による映像／音声データの検出方法のフローチャートである。
【図６】本発明の実施例による映像／音声データの検出方法のフローチャートである。
【発明を実施するための形態】
【００１１】
本明細書と特許請求の範囲では特定の用語で特定の素子を呼称する。当業者に理解できるように、ハードウェアメーカーにより他用語で同一の装置を呼ぶことが可能である。したがって、本明細書と特許請求の範囲は用語で装置を区別せず、専ら機能上の相違を区別の基準とする。なお、本明細書及び特許請求の範囲に用いる「含む」という文言は限定的に捉えるべきでなく、「含むがそれに限らない」と解すべきである。以下に例を挙げて本発明の実施例による映像／音声検出モジュールを説明する。注意すべきは、ブロック図か構造図を問わず、以下の図示と説明はいずれも説明用に過ぎず、本発明を限定するものではない。
【００１２】
図３は本発明の実施例による映像／音声データ検出モジュール３００のブロック図である。図１に示す映像／音声データ検出モジュール１００と同じく、映像／音声データ検出モジュール３００もプロセッサ３０１と映像検出素子３０３を含む。コンピュータ、携帯電話、ＰＤＡなどの電子装置の筐体に映像／音声データ検出モジュール３００を内蔵した場合、プロセッサ３０１は電子装置のマイクロプロセッサである。映像／音声データ検出モジュール３００は複数の音声検出素子（本実施例では２つの音声検出素子３０５、３０７を例にするが、２つ以上でも可能）と１つの伝送インターフェイス３０９（本実施例ではＵＳＢインターフェイス）を含む。映像／音声データ検出モジュール３００は更に回路板３１１を含む。映像検出素子３０３と、音声検出素子３０５、３０７と、伝送インターフェイス３０９はすべて回路板３１１に電気的に接続されている（一例として映像検出素子３０３と、音声検出素子３０５、３０７と、伝送インターフェイス３０９を回路板３１１に溶接してもよいが、本発明はそれに限らない）。プロセッサ３０１は回路板３１１に設けられ、映像／音声データ検出モジュール３００から制御コマンドセットＣＳを受信し、映像データＤａｔａＶと音声データＤａｔａＡ１、ＤａｔａＡ２を処理する。
【００１３】
音声検出素子が２つあった場合、その実施例の１つとして、図４ａと図４ｂに示すように、音声検出素子４０５、４０７を映像検出素子４０３の両側に設けてストライプ型の映像／音声データ検出モジュール４０１（撮影モジュールとも称する）にしてもよい。検出された映像データＤａｔａＶと音声データＤａｔａＡ１、ＤａｔａＡ２はプロセッサ３０１で処理される。ＤａｔａＶ、ＤａｔａＡ１、ＤａｔａＡ２がアナログ信号であれば、プロセッサ３０１は信号をデジタル化してから、これらを組み合わせて伝送インターフェイス３０９の規格に合う出力データストリームにする。ＤａｔａＶ、ＤａｔａＡ１、ＤａｔａＡ２がデジタル信号であれば、プロセッサ３０１はこれらの信号を組み合わせて伝送インターフェイス３０９の規格に合う出力データストリームにする。処理された出力データストリームは伝送インターフェイス３０９に伝送され、多重化方式で映像データと音声データとして出力される。伝送インターフェイス３０９がＵＳＢインターフェイスであった場合、映像データＤａｔａＶはＵＳＢプロトコルのＵＶＣ（ＵＳＢ映像クラス）フォーマットで出力され、音声データＤａｔａＡ１、ＤａｔａＡ２はＵＳＢプロトコルのＵＡＣ（ＵＳＢオーディオクラス）フォーマットで出力される。なお、本実施例による多重化は時分割多重化である。
【００１４】
伝送インターフェイス３０９としてＵＳＢハイスピードインターフェイスを利用することができる。伝送インターフェイス３０９がＵＳＢハイスピードインターフェイスであれば、伝送インターフェイス３０９は電源伝送接点と、接地伝送接点と、Ｄ＋接点と、Ｄ−接点とを含む。また、伝送インターフェイス３０９としてＵＳＢスーパースピードインターフェイスを利用してもよい。伝送インターフェイス３０９がＵＳＢスーパースピードインターフェイスであれば、伝送インターフェイス３０９は電源伝送接点と、接地伝送接点と、ＳＳＲＸ＋接点と、ＳＳＲＸ−接点と、ＳＳＴＸ＋接点と、ＳＳＴＸ−接点とを含む。伝送インターフェイス３０９は更に、ＵＳＢケーブルのシールディングに結合されるシールディング接点を含む。もっとも、伝送インターフェイス３０９として他種のＵＳＢインターフェイスや他のインターフェイスを利用してもよい。
【００１５】
２つ以上の音声検出素子を利用すれば、指向性受音の効果は実現できる。その一例を詳述するために、図４ａと図４ｂを参照する。図４ｂは図４ａをＸ方向から見た平面図である。本発明の実施例では、音声検出素子４０５と４０７の距離はｄとされ、映像／音声データ検出モジュール４０１が設けられたコンピュータはメモリ（図示せず）を含む。メモリは伝送インターフェイスから出力された映像データと音声データを一時保存し、２つの音声検出素子に到達する時間差がｄｓｉｎθを超えた音声データをデジタル信号処理で抑制・消去する。そうすれば、２つの検出素子の中心線から左右各θ角という範囲内の指向性が得られる。θ角を映像画面が表示可能な角度と設定すれば、画面内の音声は明確に検出され、画面外の音声データは適切に抑制・消去される。図４ｂを例にすれば、ユーザーＡは検出素子４０５と４０７の中心線から左右各θ角という範囲内にいるので、音声は消去されない。それに対して、ユーザーＢは検出素子４０５と４０７の中心線から左右各θ角という範囲にいないので、音声は抑制・消去される。
【００１６】
また、映像データと音声データの時間差により映像と音声の再生にタイムラグが生じうる。図３に示す映像／音声検出モジュール３００はバッファ３０８を含む。注意すべきは、本実施例によるバッファ３０８はプロセッサ３０１内に設けられるが、本発明はそれに限らず、バッファ３０８をプロセッサ３０１から独立させてもよい。本実施例では、バッファ３０８は処理済みの映像データと音声データの一部を一時保存し、同時に検出された映像データと音声データが全部プロセッサ３０１によって処理されてから一時保存した処理済みの映像データと音声データを伝送インターフェイス３０９に出力する。したがって、映像データと音声データは相互に同期していて時間差がない。
【００１７】
前掲実施例から図５に示す映像／音声データ検出方法が得られる。図５に示す方法は電子装置の筐体に内蔵した映像／音声検出モジュールに用いられる。本発明をより一層理解するために、図３と図５を合わせて参照する。図５に示すように、本発明の実施例による映像／音声データの検出方法は以下のステップを含む。
【００１８】
ステップ５０１：映像検出素子３０３で映像データを検出する。
【００１９】
ステップ５０３：複数の音声検出素子３０５、３０７で少なくとも１つの音声データを検出する。
【００２０】
ステップ５０５：電子装置からの制御コマンドセットに基づいてプロセッサで映像データと音声データを処理し、処理済み映像データと少なくとも１つの処理済み音声データを生成し、これらのデータを組み合わせて伝送インターフェイス３０９の規格に合う出力データストリームにする。
【００２１】
ステップ５０７：同じ伝送インターフェイス３０９で処理済み映像データと処理済み音声データを多重化方式で出力する。
【００２２】
その他の技術的特徴について詳しくは前掲実施例を参照すればよく、ここで説明を省略する。
【００２３】
前掲実施例からも図６に示すような映像／音声データ検出方法が得られる。図６に示す方法は電子装置の筐体に内蔵した映像／音声検出モジュールに用いられる。本発明をより一層理解するために、図３と図６を合わせて参照する。図６に示すように、本発明の実施例による映像／音声データの検出方法は以下のステップを含む。
【００２４】
ステップ６０１：映像検出素子３０３で映像データを検出する。
【００２５】
ステップ６０３：複数の音声検出素子３０５、３０７で少なくとも１つの音声データを検出する。
【００２６】
ステップ６０５：電子装置からの制御コマンドセットに基づいてプロセッサで映像データと音声データを処理し、処理済み映像データストリームと少なくとも１つの処理済み音声データストリームをそれぞれ生成する。
【００２７】
ステップ６０７：バッファ３０８で処理済み映像データストリームと処理済み音声データストリームの一部を一時保存し、同時に検出された映像データと音声データが全部プロセッサ３０１によって処理されてから、一時保存した処理済み映像データストリームと処理済み音声データストリームを組み合わせて伝送インターフェイス３０９の規格に合う出力データストリームにし、多重化方式で出力する。
【００２８】
その他の技術的特徴について詳しくは前掲実施例を参照すればよく、ここで説明を省略する。
【００２９】
前掲実施例は、デジタル信号処理方式で指向性受音を実行することができる。したがって、さまざまな環境に応じてアルゴリズムで微調整することができ、金型を修正する必要がない。そして多重化方式により映像データと音声データは１つの伝送インターフェイスを共用し、信号ラインの帯域幅を共用することが可能で、コンピュータのリソースは十分に利用される。また、撮影モジュールを外付け型にした場合ではコンピュータに接続する信号ケーブルを減らし、撮影モジュールをコンピュータ内蔵型にした場合では回路板の設計を簡素化することができる。のみならず、前掲実施例に示すように、映像データと音声データが同期しないという問題も改善できる。
【００３０】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【符号の説明】
【００３１】
１００、４００  コンピュータスクリーン
１０１  撮影モジュール
２０７、２０９、３０９  伝送インターフェイス
１０３、２０１、３０３、４０３  映像検出素子
１０５、２０３、３０５、３０７、４０５、４０７  音声検出素子
２００、３００  映像／音声データ検出モジュール
２０５、３０１  プロセッサ
３０８  バッファ
４０１  ストライプ型映像／音声データ検出モジュール
【図１】
2011120192.tif 000003
【図２】
2011120192.tif 000004
【図３】
2011120192.tif 000005
【図４ａ】
2011120192.tif 000006
【図４ｂ】
2011120192.tif 000007
【図５】
2011120192.tif 000008
【図６】
2011120192.tif 000009